(57)【要約】  【課題】  洗浄中に扉体を開く操作を受付部が受け付けた場合、洗浄槽の外部へ水が噴射しないように扉体を開けることができる食器洗浄機を提供する。  【解決手段】  食器Ａを出し入れするための開口部を有する洗浄槽１０、開口部を閉塞する扉体２、扉体２を閉じた状態で、洗浄槽１０内部に給水された水を吸引する洗浄ポンプ９、及び洗浄ポンプ９が吸引した水を食器Ａに対して噴射することで食器Ａを洗浄する洗浄ノズル５を備える食器洗浄機に、扉体２を開く操作を受け付ける受付部７と、受付部７が前記操作を受け付けた場合、洗浄ポンプ９を停止させる制御信号を洗浄ポンプ駆動部へ出力するＣＰＵと、ＣＰＵが前記制御信号を洗浄ポンプ駆動部へ出力した場合、扉体２を開く開扉手段とを備える。【選択図】        図１
2006263108.tif 000002
【特許請求の範囲】
【請求項１】
食器を出し入れするための開口部を有する洗浄槽と、前記開口部を閉塞する扉体と、該扉体を閉じた状態で、前記洗浄槽内部に給水された水を食器に対して噴射することで食器を洗浄する洗浄手段とを備える食器洗浄機において、
前記扉体を開く操作を受け付ける受付部と、
該受付部が前記操作を受け付けた場合、前記洗浄手段による水の噴射を停止する停止手段と、
該停止手段が水の噴射を停止した場合、前記扉体を開く開扉手段と
を備えることを特徴とする食器洗浄機。
【請求項２】
計時手段を備え、
該計時手段が、前記停止手段により水の噴射が停止された時から所定時間を経過したことを計時したとき、前記開扉手段は、前記扉体を開くようにしてある
ことを特徴とする請求項１に記載の食器洗浄機。
【請求項３】
前記扉体に設けられたフックと、
前記洗浄槽に回動自在に設けられ、前記フックが脱離可能に係止される係止部を一部に有するカムと、
該カムを回動させるモータと
を備え、
前記開扉手段は、
前記フックを前記係止部から脱離させるように、前記モータを駆動する手段を備える
ことを特徴とする請求項１又は請求項２に記載の食器洗浄機。
【請求項４】
前記扉体が開扉するように付勢する付勢手段を備える
ことを特徴とする請求項１乃至請求項３のいずれか一つに記載の食器洗浄機。
【発明の詳細な説明】
【技術分野】
【０００１】
本発明は、食器洗浄機に関し、特に開口部から洗浄槽の外部へ水が噴射されることを防ぐように構成してある食器洗浄機に関する。
【背景技術】
【０００２】
従来の食器洗浄機は、食器を出し入れするために洗浄槽が有する開口部を、扉体により閉塞した状態で、洗浄ノズルから洗浄槽内の食器に対して水を噴射することにより食器を洗浄する。また、食器の洗浄中に扉体が開いた場合、洗浄槽の外部へ水が噴射しないように、水の噴射を停止するように構成してある。
【特許文献１】特開２０００−８８４８８号公報
【発明の開示】
【発明が解決しようとする課題】
【０００３】
しかしながら、従来の食器洗浄機においては、扉体が開いた場合に水の噴射を停止させるため、洗浄ノズルから噴射している水が洗浄槽の外部へ飛散することがあった。
【０００４】
特に、扉体が開いた場合、水の噴射停止直前に扉体へ向けて噴射された水は、もはや噴射の停止により止めることができず、洗浄ノズルから噴射した水が洗浄槽の外部へ飛散することがあった。
【０００５】
本発明は斯かる事情に鑑みてなされたものであり、扉体を開く操作を受付部が受け付けた場合、水の噴射を停止させ、水の噴射を停止させてから扉体を開くように構成することにより、洗浄中に受付部が前記操作を受け付けた場合、洗浄槽の外部へ水が噴射しないように扉体を開けることができる食器洗浄機を提供することを目的とする。
【０００６】
また、計時部を設け、水の噴射を停止した場合、噴射された水が洗浄ノズルから扉体に達するまでに要する時間以上を計時部が計時したとき、扉体を開けるように構成することにより、洗浄中に扉体を開く操作を受付部が受け付けた場合、噴射された水を扉体で遮った後に扉体を開けることができる食器洗浄機を提供することを他の目的とする。
【０００７】
更に、扉体に設けられたフックが脱離可能に係止されるカムを洗浄槽に対して回動自在に設け、カムを回動させるモータ、及び扉体を開く操作を受付部が受け付けた場合、フックが係止部から脱離するようにモータを駆動するモータ駆動部を備えることにより、電動で扉体を開くことができ、またモータ若しくはモータ駆動部が故障した場合、又は停電により食器洗浄機に電力が供給されない場合であっても、手動で扉体を開くことができる食器洗浄機を提供することを他の目的とする。
【０００８】
更にまた、扉体を付勢して開扉するように構成することにより、動力源なしで扉体を開扉することができる食器洗浄機を提供することを他の目的とする。
【課題を解決するための手段】
【０００９】
本発明に係る食器洗浄機は、食器を出し入れするための開口部を有する洗浄槽と、前記開口部を閉塞する扉体と、該扉体を閉じた状態で、前記洗浄槽内部に給水された水を食器に対して噴射することで食器を洗浄する洗浄手段とを備える食器洗浄機において、前記扉体を開く操作を受け付ける受付部と、該受付部が前記操作を受け付けた場合、前記洗浄手段による水の噴射を停止する停止手段と、該停止手段が水の噴射を停止した場合、前記扉体を開く開扉手段とを備えることを特徴とする。
【００１０】
本発明にあっては、扉体を閉じた状態で、洗浄手段が食器に対して水を噴射している場合に、扉体を開く操作を受付部が受け付けたとき、洗浄手段による水の噴射を停止手段が停止する。そして、水の噴射が停止した場合、開扉手段が扉体を開く。従って、洗浄中に受付部が前記操作を受け付けて扉体が開いた場合であっても、扉体が開くと同時に水の噴射を停止するように構成してある食器洗浄機に比べて、洗浄手段から洗浄槽の外部へ水が噴射される虞は低い。
【００１１】
本発明に係る食器洗浄機は、計時手段を備え、該計時手段が、前記停止手段により水の噴射が停止された時から所定時間を経過したことを計時したとき、前記開扉手段は、前記扉体を開くようにしてあることを特徴とする。
【００１２】
本発明にあっては、扉体を開く操作を受付部が受け付けた場合、停止手段が水の噴射を停止したとき、水の噴射が停止したときから所定時間が経過したことを計時手段が計時する。そして、開扉手段は、停止手段が水の噴射を停止した場合、所定時間が経過したことを計時手段が計時したとき、扉体を開く。従って、所定時間を、洗浄手段から噴射された水が扉体に達するまでに要する時間以上とした場合、洗浄中に扉体を開く操作を受付部が受け付けたときであっても、扉体は噴射された水が扉体で遮られた後に開く。
【００１３】
本発明に係る食器洗浄機は、前記扉体に設けられたフックと、前記洗浄槽に回動自在に設けられ、前記フックが脱離可能に係止される係止部を一部に有するカムと、該カムを回動させるモータとを備え、前記開扉手段は、前記フックを前記係止部から脱離させるように、前記モータを駆動する手段を備えることを特徴とする。
【００１４】
本発明にあっては、扉体が備えるフックが、洗浄槽に設けられているカムの係止部に係止された場合、扉体は閉じた状態で係止される。扉体を開く操作を受付部が受け付けた場合、開扉手段は、モータを駆動することでカムを回動させることにより、フックを係止部から脱離し、扉体を開く。
【００１５】
また、モータ若しくはモータを駆動する手段が故障した場合、又は停電により食器洗浄機に電力が供給されない場合であっても、食器洗浄機の使用者が、扉体に開扉方向の力を加えることにより、扉体が備えるフックを係止部から脱離させ、扉体を開くことができる。
【００１６】
本発明に係る食器洗浄機は、前記扉体が開扉するように付勢する付勢手段を備えることを特徴とする。
【００１７】
本発明にあっては、付勢手段が扉体を開扉するように付勢する。従って、扉体を開扉するための動力源を必要としない。
【発明の効果】
【００１８】
本発明によれば、洗浄中に扉体を開く操作を受付部が受け付けた場合であっても、洗浄槽の外部へ水が噴射しないように扉体を開けることができる。
【００１９】
本発明によれば、洗浄中に扉体を開く操作を受付部が受け付けた場合であっても、噴射された水を扉体で遮った後に扉体を開けることができる。
【００２０】
本発明によれば、電動で扉体を開くことができ、またモータ若しくはモータ駆動部が故障した場合、又は停電により食器洗浄機に電力が供給されない場合であっても、手動で扉体を開くことができる。
【００２１】
本発明によれば、動力源なしで扉体を開扉することができる。
【発明を実施するための最良の形態】
【００２２】
以下、本発明をその実施の形態を示す図面に基づいて詳述する。図１は、実施の形態に係る食器洗浄機の略示側断面図である。
【００２３】
図中１は、流し台に設置される底板部１ｂ及び底板部１ｂに略平行な天板部１ａを備えた略直方体の筐体であり、筐体１は、略直方体の洗浄槽１０を内部に備えている。筐体１及び洗浄槽１０は、食器Ａを出し入れするための開口部１１（図８参照）を正面側に有している。
【００２４】
洗浄槽１０は、平面視で略矩形の底面部１０ａを有しており、底面部１０ａは、筐体１の底板部１ｂに対して略平行に配置されている。底面部１０ａには、洗浄槽１０内部に収容された食器かご４に載せられている食器Ａに水を噴射する洗浄ノズル５が配設されている。洗浄ノズル５は、洗浄水を供給する洗浄ポンプ９と連結しており、洗浄ポンプ９は、洗浄槽１０の下側、洗浄槽１０と筐体１との間に配置されている。底面部１０ａの周縁部分には、背面壁１０ｃ、及び両側面壁１０ｅが底面部１０ａに対して略垂直に形成されており、背面壁１０ｃ及び両側面壁１０ｅの上端部分には、底板部１ｂに略平行な天面部１０ｄが形成されている。両側面壁１０ｅの正面側縁部は、上側にて背面側に湾曲している。また、底面部１０ａの前端部には、洗浄ノズル５から噴射された水を受けて洗浄槽１０の底部分で溜めるために必要な高さを有する前面壁１０ｂが底面部１０ａに対して略垂直に形成されている。
【００２５】
食器洗浄機は、食器Ａを洗浄する際に洗浄槽１０の開口部１１を閉塞するために、洗浄槽１０の側面壁１０ｅの正面側縁部にならうように形成された扉体２を備えている。扉体２は、２本の支持アーム３１によって洗浄槽１０に上下回動可能に支持されている。各支持アーム３１の先端部分は、扉体２の側部の上下方向略中央部に接続されており、基端部は、両側面壁１０ｅに枢支されている。
【００２６】
扉体２が閉じた状態で、支持アーム３１の基端部の後端には、扉体２が開くように引張り付勢するためのコイルばね３２の一端が掛着してあり、コイルばね３２の他端は、側面壁１０ｅ、特に支持アーム３１の回動軸３０よりも下側背面寄りに掛着している。また、扉体２は、左右方向両側部にわたり、正面側から天面側にいたる透光部２０を有している。
【００２７】
更に、扉体２の裏側には、扉体２が閉じた状態で、左右方向略中央部の下側の部分に、フック２１が上下回動可能に枢支されている。フック２１は、背面側へ突出した腕部２１ａ（図２及び図３参照）と、腕部２１ａの後端より下方を向いた鉤部分２１ｂを有する扁平な部材である。扉体２は、フック２１を付勢するためのねじりコイルばね２２を収容する中空部分を有している。ねじりコイルばね２２のコイル部分は、扉体２の中空部分に軸着され、ねじりコイルばね２２の一端が扉体２の中空部分の一部に掛着してあり、他端はフック２１の基部に掛着して、フック２１を下方に付勢している。
【００２８】
洗浄槽１０の前面壁１０ｂの上端には、フック２１の鉤部分２１ｂを係止することにより、扉体２を閉じた状態でロックするロック機構６が設けられている。図２は、ロック機構６の略示斜視図、図３及び図４は、ロック機構６の略示側面図である。
【００２９】
ロック機構６は、前面壁１０ｂの上端の左右方向略中央部に、出力軸を横方向にして取設されているモータ６２を備えている。モータ６２の出力軸には、円柱状の周面６０ｂの一部にフック２１の鉤部分２１ｂが脱離可能に係止される凸状の係止部６０ａを形成したカム６０が、カム６０の軸線及び出力軸が一致するように設けられている。カム６０には、カム６０より径が小さい円柱部分６１が、円柱部分６１及びカム６０の軸線が一致するように反モータ６２側に延設されている。
【００３０】
また、ロック機構６は、ノブ６３ａを有するマイクロスイッチ６３を備えており、マイクロスイッチ６３は、カム６０に形成された円柱部分６１によってノブ６３ａが押されるように、円柱部分６１の下側に配設されている。円柱部分６１は、軸線に対して係止部６０ａの反対側の部位にノブ６３ａが嵌る凹部６１ａを有している。
【００３１】
図３に示すように、係止部６０ａが上方に位置する場合、係止部６０ａによってフック２１の鉤部分２１ｂが係止部６０ａに係止され、凹部６１ａにはノブ６３ａが嵌り、マイクロスイッチ６３がオフの状態になる。図３に示す状態から、鉤部分２１ｂと係止部６０ａとが脱離するようにカム６０が回動した場合、図４に示すように、フック２１の鉤部分２１ｂから係止部６０ａが脱離し、円柱部分６１によりノブ６３ａが押され、マイクロスイッチ６３がオンの状態になる。マイクロスイッチ６３のオン／オフ状態は、マイクロコンピュータを用いてなる制御部８により検出可能に構成されている。
【００３２】
図５は、制御部８の構成を示すブロック図である。制御部８は、ＣＰＵ８０を備えており、ＣＰＵ８０には、扉体２の開扉処理をＣＰＵ８０が実行するためのプログラムを記憶しているＲＯＭ８１、ＲＯＭ８１が記憶しているプログラムが一時的に展開される作業用のＲＡＭ８２、計時部８３、及び入出力インタフェース８４がバス８５を介して接続されている。
【００３３】
また、ＲＯＭ８１は、洗浄ノズル５から水が噴射した時から、噴射した水が扉体２に達するまでに要する時間、例えば０．５秒を記憶している。
【００３４】
入出力インタフェース８４には、筐体１の前面側の開口部１１よりも下側に設けられてあり、扉体２を開く操作を受け付ける受付部７、マイクロスイッチ６３、洗浄ポンプ９を駆動するポンプ駆動部９ａ、モータ６２を駆動するモータ駆動部６２ａが接続されており、ＣＰＵ８０は、入出力インタフェース８４を介して、マイクロスイッチ６３及び受付部７の状態を検出し、またポンプ駆動部９ａ及びモータ駆動部６２ａへ、洗浄ポンプ９及びモータ６２を駆動するための制御信号を出力する。
【００３５】
図６は、扉体２の開扉に関するＣＰＵ８０の処理手順を示すフローチャートである。扉体２を開く操作を受付部７が受け付けた場合、ＣＰＵ８０は、洗浄ポンプ９が駆動しているか否かを検出する（ステップＳ１）。洗浄ポンプ９が駆動していると判定した場合（ステップＳ１：ＹＥＳ）、洗浄ポンプ９を停止する制御信号をポンプ駆動部９ａへ出力する（ステップＳ２）。
【００３６】
次いで、ＣＰＵ８０は、計時部８３に計時を開始させる（ステップＳ３）。ステップ３の処理を終えた場合、ＣＰＵ８０は、計時部８３の計時結果を検出して、計時部８３が０．５秒を計時したか否かを判定する（ステップＳ４）。
【００３７】
計時部８３が０．５秒を計時したと判定した場合（ステップＳ４：ＹＥＳ）、又はステップＳ１において洗浄ポンプ９が駆動していないと判定した場合（ステップＳ１：ＮＯ）、ＣＰＵ８０は、モータ６２を駆動させるための制御信号をモータ駆動部６２ａへ出力する（ステップＳ５）。前記制御信号をモータ駆動部６２ａが受けた場合、モータ駆動部６２ａは、鉤部分２１ｂが係止部６０ａから脱離するようにカム６０を回動させる。計時部８３が０．５秒を計時していないと判定した場合（ステップＳ４：ＮＯ）、ＣＰＵ８０は、再度ステップＳ４の処理を実行する。
【００３８】
次いで、ＣＰＵ８０は、マイクロスイッチ６３のオン／オフ状態を検出し、マイクロスイッチ６３がオフの状態にあるか否かを判定する（ステップＳ６）。マイクロスイッチ６３がオフの状態にあると判定した場合（ステップＳ６：ＹＥＳ）、ＣＰＵ８０は、モータ６２を停止するための制御信号をモータ駆動部６２ａへ出力し（ステップＳ７）、処理を終了する。マイクロスイッチ６３がオンの状態にあると判定した場合（ステップＳ６：ＮＯ）、ＣＰＵ８０は、再度ステップＳ６の処理を実行する。
【００３９】
以下に、扉体２を開く操作を受付部７が受け付けた場合の食器洗浄機の動作を説明する。図３に示すように、扉体２が閉じた状態で洗浄ポンプ９が駆動している場合に、扉体２を開く操作を受付部７が受け付けたとき、ステップＳ２の処理により洗浄ポンプ９及び洗浄ノズル５による水の噴射は停止される。そして、ステップＳ４及びステップＳ５の処理により、水の噴射が停止してから０．５秒が経過した後に、モータ６２が駆動することでカム６０が図４に示すように回動する。水の噴射が停止した後、０．５秒が経過した場合、停止直前に洗浄ノズル５から噴射した水は扉体２で遮られて、洗浄槽１０の底面部１０ａへ流れる。
【００４０】
カム６０が回動して、フック２１の鉤部分２１ｂがカム６０の係止部６０ａから脱離した場合、扉体２が開く。ロック状態が解除された場合、扉体２は、コイルばね３２によって付勢されているため、洗浄槽１０の上側へ回動して全開する。
【００４１】
図７は、扉体２が開いた後の、ロック機構６の略示側面図、図８は、扉体２が開いた状態での食器洗浄機の略示側断面図である。扉体２が開いた後、ステップＳ６及びステップＳ７の処理により、マイクロスイッチ６３がオフの状態になるまで、つまり図７に示すように、係止部６０ａが上方に位置する状態まで、カム６０が回動する。係止部６０ａが上方に位置する状態で、扉体２を閉じた場合、回動可能なフック２１の鉤部分２１ｂがカム６０の係止部６０ａを乗り越え、図３に示すように再びフック２１の鉤部分２１ｂは係止部６０ａにより係止され、扉体２がロックされた状態になる。
【００４２】
このように構成される食器洗浄機にあっては、扉体２を開く操作を受付部７が受け付けた場合、洗浄ノズル５による水の噴射が停止し、水の噴射が停止した後、０．５秒が経過したとき、扉体２が開くため、洗浄中に扉体２を開く操作を受付部７が受け付けて、扉体２が開く場合であっても、洗浄ノズル５から洗浄槽１０の外部へ水が噴射されることがない。
【００４３】
また、モータ６２若しくはモータ駆動部６２ａが故障した場合、又は停電により食器洗浄機に電力が供給されないような場合であっても、フック２１は、係止部６０ａに脱離可能に係止されているため、食器洗浄機の使用者は、扉体２が開く方向の力を扉体２に加えることによりフック２１を係止部６０ａから脱離させて扉体２を開くことができる。
【００４４】
更に、扉体２は、コイルばね３２により付勢されているため、扉体２を開扉するためのモータ６２、モータ駆動部６２ａ、又はモータ６２駆動電源等を必要とせず、簡易に扉体２を開くための開扉機構を構成することができる。
【００４５】
なお、本実施の形態にあっては、扉体を開く操作を受け付けた場合、洗浄ポンプを停止させ、停止後０．５秒を経過したことを計時部が計時したとき、扉体を開くように食器洗浄機を構成しているが、計時部が計時する時間と洗浄ポンプを停止させてから扉体が開くまでに要する時間との和が、噴射された水が扉体に達するまでに要する時間以上である場合、計時部が計時する時間は０．５秒に限定されない。
【００４６】
また、洗浄ポンプを停止させてから扉体が開くまでに要する時間が、噴射された水が扉体に達するまでに要する時間以上である場合、計時部なしで、洗浄ポンプを停止させて直ちに扉体を開くように構成して良い。
【図面の簡単な説明】
【００４７】
【図１】実施の形態に係る食器洗浄機の略示側断面図である。
【図２】ロック機構の略示斜視図である。
【図３】ロック機構の略示側面図である。
【図４】ロック機構の略示側面図である。
【図５】制御部の構成を示すブロック図である。
【図６】扉体の開扉に関するＣＰＵの処理手順を示すフローチャートである。
【図７】扉体が開いた後の、ロック機構の略示側面図である。
【図８】扉体が開いた状態での食器洗浄機の略示側断面図である。
【符号の説明】
【００４８】
１  筐体
２  扉体
５  洗浄ノズル
６  ロック機構
７  受付部
８  制御部
９  洗浄ポンプ
９ａ  ポンプ駆動部
１０  洗浄槽
１１  開口部
２１  フック
３０  回動軸
３１  支持アーム
３２  コイルばね
６０  カム
６０ａ  係止部
６１  円柱部分
６１ａ  凹部
６２  モータ
６２ａ  モータ駆動部
６３  マイクロスイッチ
８０  ＣＰＵ
８１  ＲＯＭ
８２  ＲＡＭ
８３  計時部
【図１】
2006263108.tif 000003
【図２】
2006263108.tif 000004
【図３】
2006263108.tif 000005
【図４】
2006263108.tif 000006
【図５】
2006263108.tif 000007
【図６】
2006263108.tif 000008
【図７】
2006263108.tif 000009
【図８】
2006263108.tif 000010